(57)【要約】【課題】異なるフォーマットで記録されたディスク・メディアの種類を特定し、当該ディスク・メディアを処理可能な回路を、自動的に選択することを可能とする。【解決手段】録再ドライブ１０１は装着されたディスク・メディアに映像データまたは音声データを書き込む、または当該ディスク・メディアに記録されている映像データまたは音声データを読み出す。記録再生処理部１０３または再生処理部１０５は、映像データまたは音声データを処理し、複数のディスク・メディアの種類のうち、それぞれ異なるディスク・メディアの種類に対応付けられている。記録再生処理部１０３は制御部１０３ａを含む。制御部１０３ａは録再ドライブ１０１に装着されたディスク・メディアの種類を特定する。制御部１０３ａは特定されたディスク・メディアの種類に対応付けられている処理部（記録再生処理部１０３または再生処理部１０５）を選択する。【選択図】      図１
2007334961.tif 000002
【特許請求の範囲】
【請求項１】
装着されたディスク・メディアに映像データまたは音声データを書き込む、または当該装着されたディスク・メディアに記録されている映像データまたは音声データを読み出す録画再生ドライブと、
映像データまたは音声データを処理し、複数のディスク・メディアの種類のうち、それぞれ異なるディスク・メディアの種類に対応付けられた複数の処理手段と、
前記録画再生ドライブに装着されたディスク・メディアの種類を特定する特定手段と、
前記複数の処理手段のうち、前記特定手段によって特定されたディスク・メディアの種類に対応付けられた処理手段を選択する選択手段と
を具備することを特徴とする記録再生装置。
【請求項２】
前記録画再生ドライブは、
当該録画再生ドライブに装着されたディスク・メディアの種類を示す規格情報を検出し、
前記特定手段は、
前記録画再生ドライブにおいて検出された規格情報に基づいてディスク・メディアの種類を特定する
ことを特徴とする請求項１記載の記録再生装置。
【請求項３】
前記複数の処理手段のうち、前記録画再生ドライブの接続先となる処理手段を切り替えるバス切り替え手段を更に具備し、
前記選択手段は、前記録画再生ドライブの接続先を前記特定手段によって特定されたディスク・メディアの種類に対応する処理手段に切り替えることを要求する信号を、前記バス切り替え手段に対して出力し、
前記バス切り替え手段は、前記録画再生ドライブの接続先となる処理手段を、前記選択手段によって出力された信号に応じて切り替える
ことを特徴とする請求項１記載の記録再生装置。
【請求項４】
前記複数のディスク・メディアの種類のそれぞれに対応付けられた処理手段を示す情報を格納する格納手段を更に具備し、
前記選択手段は、前記格納手段に格納されている情報に基づいて、前記特定手段によって特定されたディスク・メディアの種類に対応する処理手段を選択する
ことを特徴とする請求項１記載の記録再生装置。
【請求項５】
前記複数の処理手段のいずれかに接続され、ユーザからのコマンドを入力する入力手段を更に具備し、
前記選択手段によって選択された処理手段は、前記入力手段によって入力されたコマンドを実行する
ことを特徴とする請求項１記載の記録再生装置。
【請求項６】
前記入力手段によって前記コマンドが入力されたとき、前記入力手段に接続された処理手段と前記選択手段によって選択された処理手段とが一致するかを判定する判定手段と、
前記判定手段によって一致しないと判定された場合、前記入力手段によって入力された前記コマンドを前記選択手段によって選択された処理手段に送信する送信手段と
を更に具備することを特徴とする請求項５記載の記録再生装置。
【請求項７】
前記複数の異なるディスク・メディアの種類の各々は、前記複数の処理手段のうちの１つに対応付けられていることを特徴とする請求項１記載の記録再生装置。
【請求項８】
装着されたディスク・メディアに映像データまたは音声データを書き込む、または当該装着されたディスク・メディアに記録されている映像データまたは音声データを読み出す録画再生ドライブと、映像データまたは音声データを処理し、複数のディスク・メディアの種類のうち、それぞれ異なるディスク・メディアの種類に対応付けられた複数の処理手段とを備える記録再生装置に適用される選択方法であって、
前記録画再生ドライブに装着されたディスク・メディアの種類を特定するステップと、
前記複数の処理手段のうち、前記特定されたディスク・メディアの種類に対応付けられた処理手段を選択するステップと
を具備することを特徴とする選択方法。
【発明の詳細な説明】
【技術分野】
【０００１】
本発明は、記録再生装置及び処理部選択方法に関し、特に複数の処理部のうち、ディスク・メディアの種類に対応した処理部を選択する装置及び方法に関する。
【背景技術】
【０００２】
近年、ＤＶＤ（Digital Versatile Disk）などのディスク・メディアを用いた記録再生装置が提供されている。
【０００３】
このような記録再生装置は、回転駆動される例えばＤＶＤの表面に対して、光学ピックアップからレーザー光等の光を照射することによって、例えば映像データまたは音声データを記録または再生する。
【０００４】
ここで、上述したＤＶＤには、映像または音声データを例えばＤＶＤ、ＨＤ−ＤＶＤのように異なるフォーマットで記録されたディスク・メディアが混在する。この場合、一方式のフォーマットのみに対応した記録再生装置では、他方式のフォーマットで記録されたディスク・メディアを処理しようとすると、正しく信号を検出することができない。
【０００５】
したがって、ユーザは、例えばＤＶＤがどのフォーマットで記録されたディスク・メディアであるかを常に意識しながら、それぞれのフォーマット専用の記録再生装置により処理する必要がある。
【０００６】
そこで、ユーザが、どのフォーマットのディスク・メディアであるかを意識することなく、ディスク・メディアの再生が実行できる技術が提案されている（例えば、特許文献１を参照）。この先行技術によれば、光学ピックアップからのＲＦ（Radio Frequency）信号を複数の信号処理ＩＣ（Integrated Circuit）に入力し、そのデコード状態から１つの制御コントローラによって信号処理ＩＣを選択する。
【特許文献１】特開平９−７２８９号公報
【発明の開示】
【発明が解決しようとする課題】
【０００７】
上記したように先行技術によれば、ユーザは、どのフォーマットのディスク・メディアであるかを意識することなくディスク・メディアの再生が実行できる。
【０００８】
しかしながら、先行技術では、ＲＦ信号を複数の信号処理ＩＣに入力し、正しくデコード処理が行われた信号処理ＩＣに当該ＲＦ信号を処理させるため、複数の信号処理ＩＣのうち、処理させる信号処理ＩＣを判別する処理に時間がかかるとともに、全ての信号処理ＩＣでデコード処理をさせるため、効率的ではない。
【０００９】
本発明の目的は、異なるフォーマットで記録されたディスク・メディアの種類を特定し、当該ディスク・メディアを処理可能な回路を含む処理部を、効率的に選択することが可能な記録再生装置及び処理部選択方法を提供することにある。
【課題を解決するための手段】
【００１０】
本発明の１つの態様によれば、装着されたディスク・メディアに映像データまたは音声データを書き込む、または当該装着されたディスク・メディアに記録されている映像データまたは音声データを読み出す録画再生ドライブと、映像データまたは音声データを処理し、複数のディスク・メディアの種類のうち、それぞれ異なるディスク・メディアの種類に対応付けられた複数の処理手段と、前記録画再生ドライブに装着されたディスク・メディアの種類を特定する特定手段と、前記複数の処理手段のうち、前記特定手段によって特定されたディスク・メディアの種類に対応する処理手段を選択する選択手段とを具備する記録再生装置が提供される。
【発明の効果】
【００１１】
本発明によれば、異なるフォーマットで記録されたディスク・メディアの種類を特定し、当該ディスク・メディアを処理可能な回路を含む処理部を、効率的に選択することを可能とする。
【発明を実施するための最良の形態】
【００１２】
以下、図面を参照して、本発明の実施形態について説明する。
【００１３】
まず、図１を参照して、本実施形態に係る記録再生装置１００の構成について説明する。図１は、記録再生装置１００の構成を示すブロック図である。
【００１４】
記録再生装置１００は、録画再生（録再）ドライブ１０１、バス切り替え回路１０２、記録再生処理部１０３、再生処理部１０５、システム制御バス中継回路１０４、ユーザインタフェース１０６及びシステム制御入力回路１０７を有する。記録再生装置１００は、映像データまたは音声データを処理する２つの処理部、つまり記録再生処理部１０３及び再生処理部１０５を有する構成である。また、記録再生装置１００は、各種プログラムを格納するメモリ（図示せず）を有する。
【００１５】
録再ドライブ１０１は、当該録再ドライブ１０１に装着されたディスク・メディアに映像データまたは音声データを書き込む。また、録再ドライブ１０１は、当該録再ドライブ１０１に装着されたディスク・メディアに記録されている映像データまたは音声データを読み出す。録再ドライブ１０１は、当該録再ドライブ１０１に装着されたディスク・メディアの種類を示す規格情報、例えばＤＶＤのbooktypeを検出する。
【００１６】
バス切り替え回路１０２は、録再ドライブ１０１の接続先となる記録再生処理部１０３または再生処理部１０５を切り替える。バス切り替え回路１０２は、記録再生処理部１０３または再生処理部１０５とドライブバスを介して接続されている。また、バス切り替え回路１０２は、通常、録再ドライブ１０１と記録再生処理部１０３とを接続している。バス切り替え回路１０２は、例えば記録再生処理部１０３から出力される接続先を切り替えるための切り替え信号（制御信号）に応じて、接続先を切り替える。
【００１７】
記録再生処理部１０３は、例えば録再ドライブ１０１に装着されたディスク・メディアに記録されている映像データを取得し、当該映像データを再生する処理を実行する。記録再生処理部１０３は、処理された映像データを例えば表示装置に出力する。また、記録再生処理部１０３は、圧縮符号化されたデジタルデータ列に変換された放送番組等の映像データを入力し、例えば録再ドライブ１０１に装着されたディスク・メディアに記録する処理を実行する。以下、上記したような処理を、ディスク・メディアに対する処理として説明する。
【００１８】
また、記録再生処理部１０３は、例えば複数のディスク・メディアの種類のうちの少なくとも１つに対応付けられている。記録再生処理部１０３は、対応付けられたディスク・メディアに対する処理を実行する。
【００１９】
記録再生処理部１０３は、信号処理回路１０３ｂ、制御部１０３ａ及びドライブ制御回路１０３ｃを含む。
【００２０】
制御部１０３ａは、記録再生処理部１１の各コンポーネントの動作を制御する。制御部１０３ａは、録再ドライブ１０１に例えばＤＶＤ、ＨＤ−ＤＶＤ等のディスク・メディアが装着されると、録再ドライブ１０１によって検出された当該ディスク・メディアの規格情報を読み取る。なお、上記したように、記録再生処理部１０３は、ディスク・メディアに対する処理は対応付けられたディスク・メディアのみに実行するが、ここで説明した録再ドライブ１０１によって検出されたディスク・メディアの規格情報読み取ることは対応付けられていないディスク・メディアについても可能である。制御部１０３ａは、この規格情報に基づいて、録再ドライブ１０１に装着されたディスク・メディアの種類を特定する。
【００２１】
ここで、上記したメモリには、ディスク・メディアの種類のそれぞれに対応付けられた処理部（記録再生処理部１０３または再生処理部１０５）を示す情報（以下、メディア対応情報と表記）が格納されている。このメディア対応情報は、予め設定されている。制御部１０３ａは、録再ドライブ１０１に装着されているディスク・メディアに対する処理を実行すべき処理部として、記録再生処理部１０３または再生処理部１０５を選択する。制御部１０３ａは、メディア対応情報に基づいて、特定されたディスク・メディアの種類に対応付けられている記録再生処理部１０３または再生処理部１０５を選択する。
【００２２】
また、制御部１０３ａは、システム制御バス中継回路１０４を介して再生処理部１０５と通信を実行し、再生処理部１０５側でディスク・メディアに対する処理を実行するように通知（依頼）する。また、制御部１０３ａは、バス切り替え回路１０２に対して接続先の切り替えを要求する切り替え信号を出力する機能を有する。
【００２３】
制御部１０３ａは、例えばシステム制御入力回路１０７から制御信号を入力する。この際、制御部１０３ａは、録再ドライブ１０１にディスク・メディアが装着されている場合、記録再生処理部１０３または再生処理部１０５のいずれが当該ディスク・メディアに対する処理を実行しているかを判定する機能を有する。
【００２４】
制御部１０３ａは、システム制御入力回路１０７からの制御信号に基づいて、例えば信号処理回路１０３ｂ等の動作を制御する。制御部１０３ａは、システム制御入力回路１０７から入力された制御信号をシステム制御バス中継回路１０４を介して再生処理部１０５に送信する機能も有する。
【００２５】
信号処理回路１０３ｂは、制御部１０３ａの制御の下、映像データを録画または再生するための処理を実行する。信号処理回路１０３ｂは、例えば圧縮符号化された映像データを復号するためのデコード処理、または例えばチューナ部（図示せず）から入力される放送番組の映像データをデジタル圧縮符号化するためのエンコード処理を実行する。
【００２６】
ドライブ制御回路１０３ｃは、録再ドライブ１０１と記録再生処理部１０３との間のデータの入出力を行うインタフェース機能を有する。ドライブ制御回路１０３ｃは、例えばＡＴＡＰＩ（AT Attachment Packet Interface）インタフェース回路である。
【００２７】
システム制御バス中継回路１０４は、上記したように記録再生処理部１０３及び再生処理部１０５との間の情報の送受を仲介する機能を有する。システム制御バス中継回路１０４は、互いに異なる制御バス、例えばＰＣＩ（Peripheral Component Interconnect bus）バス及びＩＳＡ（Industry Standard Architecture bus）バスを仲介する機能を有する。
【００２８】
再生処理部１０５は、例えば録再ドライブ１０１に装着されたディスク・メディアに記録されている映像データを取得し、当該映像データを再生する処理を実行する。再生処理部１０５は、処理された映像データを例えば表示装置に出力する。また、再生処理部１０５は、上述した再生処理部１０３と同様に、例えば複数のディスク・メディアの種類のうちの少なくとも１つに対応付けられている。再生処理部１０５は、対応付けられたディスク・メディアに対する再生処理を実行する。ここで、再生処理部１０５に対応付けられているディスク・メディアの種類は、記録再生装置１０３に対応付けられているディスク・メディアの種類とは異なる。
【００２９】
再生処理部１０５は、制御部１０５ａ、信号処理回路１０５ｂ及びドライブ制御回路１０５ｃを含む。
【００３０】
制御部１０５ａは、再生処理部１０５の各コンポーネントの動作を制御する。また、制御部１０５ａは、システム制御バス中継回路１０４を介して、記録再生処理部１０３の制御部１０３ａとの間でデータ通信を実行する。
【００３１】
信号処理回路１０５ｂは、制御部１０５ａの制御の下、映像データを再生するための処理を実行する。信号処理回路１０５ｂは、例えば圧縮符号化された映像データを復号するためのデコード処理を実行する。
【００３２】
ドライブ制御回路１０５ｃは、記録再生処理部１０３のドライブ制御回路１０３ｃと同様に、録再ドライブ１０１と再生処理部１０５との間のデータの入出力を行うインタフェース機能を有する。ドライブ制御回路１０５ｃは、例えばＡＴＡＰＩインタフェース回路である。
【００３３】
ユーザインタフェース１０６は、例えばユーザからのコマンドを入力する。ユーザは、例えばリモコンユニットを操作することによってコマンドを入力する。ここで、ユーザによって入力されるコマンドは、例えば再生または停止である。
【００３４】
システム制御入力回路１０７は、ユーザインタフェース１０６から入力された再生または停止等のコマンドの制御信号を生成する。また、システム制御入力回路１０７は、生成された制御信号を記録再生処理部１０３に出力する。
【００３５】
なお、メディア対応情報に基づいて、録再ドライブ１０１に装着されているディスク・メディアに対する処理を実行すべき処理部として、記録再生処理部１０３または再生処理部１０５を選択する処理は、再生処理部１０５の制御部１０５ａによって実行される構成であっても構わない。また、システム制御入力回路１０７は、生成された制御信号を再生処理部１０５に出力する構成であっても良い。
【００３６】
図２は、上記したディスク・メディアの種類のそれぞれに対応付けられた処理部を示すメディア対応情報のデータ構造の一例を示す。
【００３７】
図２に示すように、メディア対応情報には、フォーマットの異なるディスク・メディアの種類のそれぞれに対応付けて、記録再生処理部１０３または再生処理部１０５が示されている。なお、図２において、「Ａ」は、記録再生処理部１０３を示し、「Ｂ」は、再生処理部１０５を示す。
【００３８】
図２の例では、記録可能なディスク・メディアの種類であるＤＶＤ−Ｒ，ＤＶＤ−ＲＷ，ＤＶＤ−ＲＡＭ，ＨＤＤＶＤ−Ｒ及びＨＤＤＶＤ−ＲＷに対応付けて、記録再生処理部１０３が示されている。また、再生専用のディスク・メディアの種類であるＣＤ，ＤＶＤ−ＲＯＭ及びＨＤＤＶＤ−ＲＯＭに対応付けて、再生処理部１０５が示されている。
【００３９】
本実施形態に係る記録再生装置１００は、記録及び再生が可能な記録再生処理部１０３と再生のみが可能な再生処理部１０５との２つの処理部を有する。よって、例えば複数のディスク・メディアの種類のうち、書き込み（記録）及び読み出し（再生）が可能なディスク・メディアについては記録再生処理１０３が処理し、読み出しのみが可能なディスク・メディアについては再生処理１０５が処理するように対応付けられている。
【００４０】
次に、図３のフローチャートを参照して、録再ドライブ１０１に装着されたディスク・メディアに対する処理を実行すべき処理部を選択する処理手順について説明する。
【００４１】
まず、例えばユーザによって録再ドライブ１０１にディスク・メディアが装着されると（ステップＳ１０１）、録再ドライブ１０１は、装着されたディスク・メディアの種類を示す規格情報、例えばbooktypeを検出する。記録再生処理部１０３の制御部１０３ａは、録再ドライブ１０１によって検出された規格情報を読み込む（ステップＳ１０２）。制御部１０３ａは、読み込まれた規格情報から録再ドライブ１０１に装着されたディスク・メディアの種類を特定する。
【００４２】
次に、制御部１０３ａは、特定されたディスク・メディアの種類に基づいて、録再ドライブ１０１に装着されたディスク・メディアが記録再生処理部１０３で処理すべきであるか否かを判定する（ステップＳ１０３）。すなわち、制御部１０３ａは、この処理により録再ドライブ１０１に装着されているディスク・メディアに対する処理を実行すべき処理部として、記録再生処理部１０３または再生処理部１０５を選択する。このとき、制御部１０３ａは、メモリに格納されているメディア対応情報に基づいて処理を実行する。
【００４３】
ここで、制御部１０３ａによって録再ドライブ１０１に装着されたディスク・メディアが記録再生処理部１０３で処理すべきであると判定された場合（ステップＳ１０３のＹＥＳ）、つまり制御部１０３ａによって記録再生処理部１０３が選択された場合、記録再生処理部１０３は、録再ドライブ１０１に装着されたディスク・メディアに対する処理を実行する（ステップＳ１０４）。
【００４４】
例えば記録再生処理部１０３は、例えばユーザからのコマンドに応じて録再ドライブ１０１からデータを受け、信号処理回路１０３ｂでエンコード処理し、当該処理された映像または音声データを例えば表示装置に出力する。または、ドライブ制御回路１０３ｃから録再ドライブ１０１に装着されたディスク・メディアに録画するために記録データを録再ドライブ１０１へ出力する。
【００４５】
通常、バス切り替え回路１０２は、録再ドライブ１０１と記録再生処理部１０３とを接続しているため、制御部１０３ａによって記録再生処理部１０３が選択された場合には、バス切り替え回路１０２は接続先を切り替える必要はない。
【００４６】
一方、制御部１０３によって録再ドライブ１０１に装着されたディスク・メディアが記録再生処理部１０３で処理すべきでないと判定された場合（ステップＳ１０３のＮＯ）、つまり制御部１０３ａによって再生処理部１０５が選択された場合、制御部１０３ａは、録再ドライブ１０１に装着されたディスク・メディアに対する再生処理を実行するよう再生処理部１０５に通知（依頼）する（ステップＳ１０５）。このとき、制御部１０３ａは、システム制御バス中継回路１０４を介して再生処理部１０５に通知する。
【００４７】
上記したように、録再ドライブ１０１に装着されたディスク・メディアに対する再生処理を実行するように、制御部１０３ａから再生処理部１０５に通知されると、記録再生処理部１０３と再生処理部１０５との間でシステム制御バス中継回路１０４を介した通信により同期を取る。制御部１０３ａは、記録再生処理部１０３と再生処理部１０５との間で同期が取れたか否かで、録再ドライブ１０１の接続先を切り替えることが可能か否かを判定する（ステップＳ１０６）。
【００４８】
記録再生処理部１０３と再生処理部１０５との間で同期が取れ、制御部１０３ａによって録再ドライブ１０１の接続先の切り替えが可能であることが判定された場合（ステップＳ１０６のＹＥＳ）、制御部１０３ａは、バス切り替え回路１０２に対して録再ドライブ１０１の接続先を記録再生処理部１０３から再生処理部１０５に切り替えることを要求する切り替え信号を出力する。バス切り替え回路１０２は、制御部１０３ａによって出力された切り替え信号に基づいて、録再ドライブ１０１の接続先を切り替える（ステップＳ１０７）。
【００４９】
一方、記録再生処理部１０３と再生処理部１０５との間で同期が取れず、制御部１０３ａによって録再ドライブ１０１の接続先の切り替えが可能でないことが判定された場合（ステップＳ１０６のＮＯ）、制御部１０３ａは、バス切り替え回路に対して切り替え信号を出力しない。つまり、制御部１０３ａは、記録再生処理部１０３と再生処理部１０５との間で同期が取れるまでは、切り替え信号を出力しないため、録再ドライブ１０１の接続先は切り替えられない。
【００５０】
ステップＳ１０７の処理により、録再ドライブ１０１及び再生処理部１０５の間の接続が確保されると、録再ドライブ１０１に装着されたディスク・メディアに対する再生処理を実行する（ステップＳ１０８）。例えば再生処理部１０５は、録再ドライブ１０１から例えば映像または音声データを受け、信号処理回路１０５ｂによってエンコード処理された映像または音声データを例えば表示装置に出力する。
【００５１】
次に、図４のフローチャートを参照して、録再ドライブ１０１にディスク・メディアが装着されている場合に、ユーザによってコマンドが入力されたときの処理手順について説明する。
【００５２】
まず、システム制御入力回路１０７は、ユーザインタフェース１０６からのコマンドを入力する（ステップＳ２０１）。この際、システム制御入力回路１０７は、入力されたコマンドに応じて制御信号を生成する。システム制御入力回路１０７は、生成された制御信号を記録再生処理部１０３に出力する。
【００５３】
記録再生処理部１０３は、システム制御入力回路１０７によって出力された制御信号を入力する（ステップＳ２０２）。
【００５４】
記録再生処理部１０３の制御部１０３ａは、記録再生処理部１０３が録再ドライブ１０１に装着されているディスク・メディアに対する処理を実行中か否かを判定する（ステップＳ２０３）。この処理により、制御部１０３ａは、録再ドライブ１０１に装着されているディスク・メディアに対する処理を記録再生処理部１０３または再生処理部１０５のいずれが実行しているかを判定することができる。
【００５５】
記録再生処理部１０３が録再ドライブ１０１に装着されているディスク・メディアに対する処理を実行中である場合（ステップＳ２０３のＹＥＳ）、記録再生処理部１０３は、入力された制御信号に基づいて、コマンドを実行する（ステップＳ２０４）。
【００５６】
一方、記録再生処理部１０３が録再ドライブ１０１に装着されているディスク・メディアに対する処理を実行中でない場合（ステップＳ２０３のＮＯ）、制御部１０３ａは、入力された制御信号を再生処理部１０５に対して送信する（ステップＳ２０５）。この際、制御信号は、システム制御バス中継回路１０４を介して再生処理部１０５に送信される。
【００５７】
再生処理部１０５が制御部１０３ａによって送信された制御信号を受信すると、再生処理部１０５は、受信された制御信号に基づいて、コマンドを実行する（ステップＳ２０６）。
【００５８】
上記したように本実施形態においては、録再ドライブ１０１に装着されたディスク・メディアの種類を特定し、メディア対応情報に基づいて、当該ディスク・メディアに対する処理を実行すべき処理部を選択することが可能となる。これにより、録再ドライブ１０１に異なるフォーマットで記録されたディスク・メディアが装着された場合であっても、当該ディスク・メディアに対する処理を実行可能な処理部を自動的に選択することができる。
【００５９】
また、本実施形態においては、ユーザによってコマンドが入力された場合であっても、録再ドライブ１０１に装着されたディスク・メディアに対する処理を実行している処理部を判定することによって、当該処理部にコマンドを実行させることが可能となる。
【００６０】
また、本実施形態においては、図２に示すように再生処理のみが可能な再生処理部１０５より記録及び再生処理が可能な記録再生処理部１０３の方が処理するディスク・メディアの種類が多いため、記録再生処理部１０３の方が処理する可能性が高い。よって、上記したような処理部を選択する処理を記録再生処理部１０３側で実行することにより、処理部を選択する処理を再生処理部１０５で実行する場合に比べ、記録再生処理部１０３と再生処理部１０５との間で通信する回数を減少させることができるため、記録再生装置１００の処理効率を向上させることが可能となる。
【００６１】
同様の理由により、記録再生処理部１０３側にシステム制御入力回路１０７を設けることによって、記録再生装置１００の処理効率を向上することが可能となる。
【００６２】
なお、本実施形態においては、処理部が記録再生処理部１０３及び再生処理部１０５の２つである場合について説明したが、当該処理部は、３つ以上であっても構わない。この場合でも同様に、メディア対応情報に基づいて、録再ドライブ１０１に装着されたディスク・メディアに対する処理を実行すべき処理部を選択することが可能となる。
【００６３】
また、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【図面の簡単な説明】
【００６４】
【図１】本発明の実施形態にかかる記録再生装置１００の構成を示すブロック図。
【図２】メディア対応情報のデータ構造の一例を示す図。
【図３】録最ドライブ１０１に装着されたディスク・メディアに対する処理を実行すべき処理部を選択する処理手順を示すフローチャート。
【図４】録再ドライブ１０１にディスク・メディアが装着されている場合に、ユーザによってコマンドが入力されたときの処理手順を示すフローチャート。
【符号の説明】
【００６５】
１００…記録再生装置、１０１…録再ドライブ、１０２…バス切り替え回路、１０３…記録再生処理部、１０３ａ…制御部、１０３ｂ…信号処理回路、１０３ｃ…ドライブ制御回路、１０４…システム制御バス中継回路、１０５…再生処理部、１０５ａ…制御部、１０５ｂ…信号処理回路、１０５ｃ…ドライブ制御回路、１０６…ユーザインタフェース、１０７…システム制御入力回路。
【図１】
2007334961.tif 000003
【図２】
2007334961.tif 000004
【図３】
2007334961.tif 000005
【図４】
2007334961.tif 000006